(57)【要約】【課題】商用電源を遮断することによって可能な限り電力消費を抑制する消費電力抑制モードに移行した場合にも、リモコン装置での操作により通常の給湯モードに復帰させることのできる給湯装置を提供する。【解決手段】給湯装置本体１に対する商用電源ＰＷの供給を許可または阻止するリレー接点ＳＷと、給湯装置本体１に商用電源が供給されているとき、その商用電源ＰＷに基づいて充電が行われ、給湯装置本体１に商用電源ＰＷが阻止されているとき、リモコン装置２からの操作によって充電電荷が放電される充電用コンデンサＣ４とを備え、給湯装置が予め設定された所定の動作条件になると、リレー接点ＳＷをオフにして商用電源ＰＷを阻止し、商用電源ＰＷの阻止状態でユーザによるリモコン装置２からの操作によって充電用コンデンサＣ４の充電電荷が放電されると、その放電信号に基づいてリレー接点ＳＷをオンにして商用電源ＰＷを供給する。【選択図】  図３
2004233029.tif 000002
【特許請求の範囲】
【請求項１】
給湯装置本体と遠隔操作装置とを有し、前記給湯装置本体から前記遠隔操作装置に対して電源の供給が可能な給湯装置であって、
前記給湯装置本体に対する元電源の供給を許可または阻止するスイッチ手段と、
前記給湯装置本体に元電源が供給されているとき、その元電源に基づいて充電が行われ、前記給湯装置本体に元電源が阻止されているとき、前記遠隔操作装置からの操作によって充電電荷が放電される充電手段と、
前記給湯装置本体が予め設定された所定の動作条件になると、前記スイッチ手段をオフにして元電源を阻止し、この元電源の阻止状態でユーザによる前記遠隔操作装置からの操作によって前記充電手段の充電電荷が放電されると、その放電信号に基づいて前記スイッチ手段をオンにして前記元電源を供給する電源供給制御手段と
を備えたことを特徴とする、給湯装置。
【請求項２】
前記充電手段の充電量が所定レベルに低下したことを検出する検出手段を備え、
前記電源供給制御手段は、元電源が阻止されているとき、前記検出手段の検出結果に基づいて、元電源の供給を許可する、請求項１に記載の給湯装置。
【請求項３】
前記スイッチ手段のオン、オフの累積回数を計数する計数手段を備え、
前記電源供給制御手段は、前記計数手段によって計数されたオン、オフの累積回数が所定回数を越えると、前記給湯装置が所定の動作条件になっても前記スイッチ手段をオフせず、元電源の供給を保持する、請求項１または２に記載の給湯装置。
【請求項４】
前記給湯装置に前記遠隔操作装置以外の他の装置が接続されたか否かを判別するための判別手段を備え、
前記電源供給制御手段は、前記判別手段によって前記他の装置が接続されていると判別されると、前記給湯装置が所定の動作条件になっても前記スイッチ手段をオフせず、元電源の供給を保持する、請求項１ないし３のいずれかに記載の給湯装置。
【請求項５】
前記給湯装置本体は、
前記判別手段によって前記他の装置が接続されていると判別されたとき、前記他の装置に対する前記充電手段による放電を阻止する放電阻止手段を備える、請求項４に記載の給湯装置。
【請求項６】
前記給湯装置本体は、前記充電手段の充電を行う際、その旨の信号を前記遠隔操作装置に送信する通信手段を備え、
前記遠隔操作装置は、前記給湯装置本体からの信号を受信して前記充電手段の充電が行われる旨を表示する表示手段を備える、請求項１ないし５のいずれかに記載の給湯装置。
【請求項７】
前記給湯装置本体は、
前記給湯装置本体に対する元電源の供給が許可されているとき、前記遠隔操作装置に対する電源供給を禁止する電源供給禁止手段を備える、請求項１ないし６のいずれかに記載の給湯装置。
【請求項８】
前記充電手段は、前記電源供給制御手段によって前記給湯装置本体に対する元電源の供給が阻止されると、当該充電手段の充電電荷により前記遠隔操作装置に対して電源を供給するものであり、
前記遠隔操作装置は、前記給湯装置本体からの信号に基づいて、前記充電手段による電源供給を禁止する電源供給禁止手段を備える、請求項１ないし７のいずれかに記載の給湯装置。
【請求項９】
前記充電手段は、前記電源供給制御手段によって前記給湯装置本体に対する元電源の供給が阻止されると、当該充電手段の充電電荷により前記遠隔操作装置に対して電源を供給するものであり、
前記給湯装置本体は、上記充電手段による充電電圧を低減させる第１低減手段を備え、
前記遠隔操作装置は、前記第１低減手段によって低減された上記充電手段の充電電圧をさらに低減させる第２低減手段を備える、請求項１ないし７のいずれかに記載の給湯装置。
【発明の詳細な説明】
【０００１】
【発明の属する技術分野】
本願発明は、給湯装置本体とリモコン装置とを備える給湯装置に関する。
【０００２】
【従来の技術】
従来、給湯装置としては、一般に給湯装置本体と、それに２芯ケーブル等によって接続されたリモコン装置とを備えて構成されている（たとえば、特許文献１参照）。
【０００３】
【特許文献１】
特開平２−１４０５０９号公報
【０００４】
給湯装置本体は、給湯を行うためのものであり、給湯用、風呂追い焚き用および温水暖房用等の熱交換器を備える燃焼ユニットと、この燃焼ユニットを制御するマイクロコンピュータ（以下、単に「マイコン」という。）を備える制御部とが設けられている。一方、リモコン装置は、給湯装置本体の給湯運転を遠隔操作するためのものであり、操作スイッチや液晶表示器等を有する操作表示部が備えられている。そして、リモコン装置は、給湯装置本体から２芯ケーブル等の接続線を介して電源が供給され、給湯装置本体ととともに駆動されるようになっている。
【０００５】
【発明が解決しようとする課題】
ところで、給湯装置が給湯動作を全くしておらず、リモコン装置からも全く操作情報が入力されない状態（いわゆる運転待機状態）が継続する場合は、その状態であっても給湯装置本体およびリモコン装置に搭載されたマイコンや電気回路等によって、ある程度の電力が消費されているため、節電の観点からは、その消費電力を可能な限り抑制することが好ましい。たとえば待機状態においては給湯装置本体に供給される商用電源をスイッチにより遮断することが好ましい。
【０００６】
ここで、給湯装置本体が運転待機状態にあることを検知して、自動的に商用電源をスイッチにより遮断する構成とした場合（たとえば給湯動作が停止してから上述の運転待機状態が所定時間以上継続すると、消費電力抑制モードに移行し、自動的にスイッチをオフにして商用電源を遮断する構成とした場合）、消費電力抑制モードにおいてユーザがリモコン装置から運転スイッチを操作したとき、直ちに給湯装置本体を消費電力抑制モードから通常の運転モードに移行させるには、リモコン装置における運転スイッチの操作情報に基づいて商用電源のスイッチをオンさせる必要がある。しかしながら、消費電力抑制モードではリモコン装置に給湯装置本体から電源が供給されていないため、リモコン装置の運転スイッチの操作によって商用電源のスイッチをオンさせることができないという不都合が生じる。
【０００７】
給湯装置本体にスイッチによる電源遮断回路が設けられるため、給湯装置本体に遮断された商用電源を復帰させる電源復帰用操作スイッチを設けてもよいが、給湯装置本体は、屋外に設置されることが多いため、ユーザに屋外に出て電源復帰用操作スイッチの操作を強いることになり、極めて操作性が悪く、実用的でない。
【０００８】
【発明の開示】
本願発明は、上記した事情のもとで考え出されたものであって、商用電源を遮断することによって可能な限り電力消費を抑制する消費電力抑制モードを有し、消費電力抑制モードに移行した場合にもリモコン装置での操作により通常の給湯モードに復帰させることのできる給湯装置を提供することを、その課題とする。
【０００９】
上記の課題を解決するため、本願発明では、次の技術的手段を講じている。
【００１０】
本願発明に係る給湯装置は、給湯装置本体と遠隔操作装置とを有し、前記給湯装置本体から前記遠隔操作装置に対して電源の供給が可能な給湯装置であって、前記給湯装置本体に対する元電源の供給を許可または阻止するスイッチ手段と、前記給湯装置本体に元電源が供給されているとき、その元電源に基づいて充電が行われ、前記給湯装置本体に元電源が阻止されているとき、前記遠隔操作装置からの操作によって充電電荷が放電される充電手段と、前記給湯装置本体が予め設定された所定の動作条件になると、前記スイッチ手段をオフにして元電源を阻止し、この元電源の阻止状態でユーザによる前記遠隔操作装置からの操作によって前記充電手段の充電電荷が放電されると、その放電信号に基づいて前記スイッチ手段をオンにして前記元電源を供給する電源供給制御手段とを備えたことを特徴としている。
【００１１】
この発明によれば、電源供給制御手段は、給湯装置が予め設定された所定の動作条件になると、スイッチ手段をオフにして元電源を阻止する（消費電力抑制モード）。そして、元電源の阻止状態でユーザによる遠隔操作装置からの操作によって充電手段の充電電荷が放電されると、その放電信号に基づいてスイッチ手段をオンにして給湯装置に元電源を供給する。したがって、消費電力抑制モードに移行した場合にもリモコン装置での操作により通常の給湯モードに復帰させることができるので、使い勝手のよい給湯装置を提供することができる。なお、ここで、元電源としては、商用電源や自家発電による電源等が適用される。
【００１２】
好ましい実施の形態によれば、前記充電手段の充電量が所定レベルに低下したことを検出する検出手段を備え、前記電源供給制御手段は、前記元電源が阻止されているとき、前記検出手段の検出結果に基づいて、元電源の供給を許可する。
【００１３】
この構成によれば、検出手段によってたとえば、充電手段による充電量が所定レベルに低下したことを検出すると、元電源が阻止されているとき、元電源の供給を許可するため、充電手段による充電量をほぼ一定にすることができ、ユーザによる遠隔操作装置からの電源投入操作を、常時、支障なく行い得る。
【００１４】
他の好ましい実施の形態によれば、前記スイッチ手段のオン、オフの累積回数を計数する計数手段を備え、前記電源供給制御手段は、前記計数手段によって計数されたオン、オフの累積回数が所定回数を越えると、前記給湯装置が所定の動作条件になっても前記スイッチ手段をオフせず、元電源の供給を保持する。
【００１５】
この構成によれば、計数手段によって計数されたオン、オフの累積回数が所定回数を越えると、給湯装置が所定の動作条件（消費電力抑制モード）になってもスイッチ手段をオフせず、元電源の供給を保持する。すなわち、たとえばスイッチ手段が経年的な要因で接点不良を生じさせるようなときは、元電源の供給を保持するようにするので、たとえばユーザが遠隔操作装置から電源投入を行った際において、リレー接点がオン動作しなくなるといったおそれを解消することができる。なお、前記計数手段によって計数されたオン、オフの累積回数は、たとえばＥＥＰＲＯＭといった不揮発性メモリに記憶されることが望ましい。
【００１６】
他の好ましい実施の形態によれば、前記給湯装置に前記遠隔操作装置以外の他の装置が接続されたか否かを判別するための判別手段を備え、前記電源供給制御手段は、前記判別手段によって前記他の装置が接続されていると判別されると、前記給湯装置が所定の動作条件になっても前記スイッチ手段をオフせず、元電源の供給を保持する。
【００１７】
この発明によれば、判別手段によって前記他の装置が接続されていると判別されると、給湯装置が所定の動作条件になってもスイッチ手段をオフせず、元電源の供給を保持する。そのため、他の装置（たとえばオプション機器）へは、元電源が適切に供給されることになり、オプション機器の良好な動作を確保することができる。なお、ここでいう他の装置とは、その装置に設けられた、たとえば操作スイッチの操作によってのみ、上記スイッチ手段をオンさせて元電源の供給を行う構成を備えていない装置をいう。たとえば、その装置における操作スイッチの操作が行われていないにもかかわらず、電力を消費してしまい、それによって上記スイッチ手段がオンしてしまうといった構成の装置は、消費電力抑制モードに移行する制御、あるいは消費電力抑制モードから通常モードに復帰する制御が成り立たないため、上記他の装置に該当する。そのため、遠隔操作装置の中でも、上記構成を備えていない遠隔操作装置は、上記他の装置に該当する。また、消費電力抑制モードに移行する制御、あるいは消費電力抑制モードから通常モードに復帰する制御を実行したときに、その装置における制御ソフトウェアまたはハードウェア等に不具合が生じるような装置は、他の装置に該当する。
【００１８】
他の好ましい実施の形態によれば、前記給湯装置本体は、前記判別手段によって前記他の装置が接続されていると判別されたとき、前記他の装置に対する前記充電手段による放電を阻止する放電阻止手段を備える。
【００１９】
この構成によれば、給湯装置本体は、判別手段によって他の装置が接続されていると判別されたとき、他の装置に対する充電手段による放電を阻止するので、給湯装置本体に他の装置（たとえばオプション機器）が接続されたとき、他の装置に対して放電されるのを防止することができる。そのため、充電手段による充電量を必要十分に保持することができ、ユーザによる遠隔操作装置からの電源投入操作を確実に行うことができる。
【００２０】
他の好ましい実施の形態によれば、前記給湯装置本体は、前記充電手段の充電を行う際、その旨の信号を前記遠隔操作装置に送信する通信手段を備え、前記遠隔操作装置は、前記給湯装置本体からの信号を受信して前記充電手段の充電が行われる旨を表示する表示手段を備える。
【００２１】
この構成によれば、遠隔操作装置は、給湯装置本体から充電手段が充電を行う旨の信号を受信してその旨を表示するので、ユーザは、たとえば装置の消費電力を測定するときに、電源操作をしていないのにもかかわらず、消費電力が「０」でない理由が、充電手段が充電中であることを即座にかつ確実に把握することができる。そのため、ユーザに安心感を与えることができる。
【００２２】
他の好ましい実施の形態によれば、前記給湯装置本体は、前記給湯装置本体に対する元電源の供給が許可されているとき、前記遠隔操作装置に対する電源供給を禁止する電源供給禁止手段を備える。
【００２３】
この構成によれば、給湯装置本体は、これに対する元電源の供給が許可されているとき、遠隔操作装置に対する電源供給を禁止するので、たとえば冬場等に凍結予防運転を給湯装置本体側のみで行う必要があるときに、給湯装置本体のみを動作させることができるので、可及的に消費電力を抑制することができる。
【００２４】
他の好ましい実施の形態によれば、前記充電手段は、前記電源供給制御手段によって前記給湯装置本体に対する元電源の供給が阻止されると、当該充電手段の充電電荷により前記遠隔操作装置に対して電源を供給するものであり、前記遠隔操作装置は、前記給湯装置本体からの信号に基づいて、前記充電手段による電源供給を禁止する電源供給禁止手段を備える。
【００２５】
この構成によれば、遠隔操作装置は、給湯装置本体からの信号に基づいて、充電手段による電源供給を禁止するので、充電手段によって蓄えられていた電荷が遠隔操作装置に対して放電されることを抑制することができる。そのため、充電手段による充電量を必要十分に保持することができ、ユーザによる遠隔操作装置からの電源投入操作を確実に行うことができる。
【００２６】
他の好ましい実施の形態によれば、前記充電手段は、前記電源供給制御手段によって前記給湯装置本体に対する元電源の供給が阻止されると、当該充電手段の充電電荷により前記遠隔操作装置に対して電源を供給するものであり、前記給湯装置本体は、上記充電手段による充電電圧を低減させる第１低減手段を備え、前記遠隔操作装置は、前記第１低減手段によって低減された上記充電手段の充電電圧をさらに低減させる第２低減手段を備える。
【００２７】
この構成によれば、給湯装置本体は、充電手段による充電電圧を低減させ、遠隔操作装置は、第１低減手段によって低減された充電手段の充電電圧をさらに低減させるので、充電手段によって蓄えられていた電荷が遠隔操作装置に対して放電されることを抑制することができる。そのため、充電手段による充電量を必要十分に保持することができ、ユーザによる遠隔操作装置からの電源投入操作を確実に行うことができる。
【００２８】
本願発明のその他の特徴および利点は、添付図面を参照して以下に行う詳細な説明によって、より明らかとなろう。
【００２９】
【発明の実施の形態】
以下、本願発明の好ましい実施の形態を、添付図面を参照して具体的に説明する。
【００３０】
図１は、本願発明に係る給湯装置を示す概略構成図である。この給湯装置は、給湯装置本体１と、これに２芯ケーブル３を介して接続されたリモコン装置２とによって構成されている。なお、リモコン装置２は、複数設けられていてもよい。
【００３１】
給湯装置本体１は、たとえば住宅の屋外に設置され、給湯用、風呂追い焚き用、または温水暖房用の熱交換器、各種燃焼器、および各種バルブ等を含む燃焼ユニット１０と、給湯装置本体１の全体動作を制御する制御部１１とを備えている。
【００３２】
制御部１１は、たとえば電子部品が搭載された１枚のプリント基板によって構成され、マイクロコンピュータ１２（以下、「本体側マイコン１２」という）、ＥＥＰＲＯＭ１３、および通信部１４等を有している。本体側マイコン１２は、給湯装置本体１の制御中枢となるものであり、図示しないＲＯＭに記憶されている運転実行プログラム、給湯装置本体１が備える各種センサ（図示略）の検出信号、あるいはリモコン装置２や図示しない暖房用機器等から送られる操作信号等に基づいて、各種燃焼器の燃焼状態や各種バルブの開閉状態を制御する。
【００３３】
ＥＥＰＲＯＭ１３は、各種のデータを必要に応じて記憶するものである。
【００３４】
通信部１４は、リモコン装置２との通信を行うためのものであり、所定の変復調方式に基づいた変復調回路によって構成されている。給湯装置本体１からリモコン装置２に対しては、２芯ケーブル３を介して電源供給（たとえばＤＣ１５Ｖ）がされており、上記通信部１４において変調されたデータ信号は、電源電圧に重畳され、この２芯ケーブル３を介してリモコン装置２に伝達される。また、リモコン装置２から上記２芯ケーブル３を介して伝達された操作信号としてのデータ信号は、上記通信部１４において復調され、本体側マイコン１２に送られる。
【００３５】
一方、リモコン装置２は、台所および風呂場等の屋内に設置され、給湯装置本体１を遠隔操作するものである。リモコン装置２は、マイクロコンピュータ１５（以下、「リモコン側マイコン１５」という）、および通信部１６等を有している。
【００３６】
たとえば台所に設置されるリモコン装置２は、図２に示すように、本体ケース２Ａの表面に運転スイッチ２１ａを含む各種の操作スイッチからなる操作部２１、表示部２２およびスピーカ２３が設けられている。
【００３７】
操作スイッチ２１は、ユーザによって給湯運転や暖房運転等を行うために操作されるものである。特に、運転スイッチ２１ａは、給湯装置本体１の給湯運転のオン／オフを指示する操作スイッチであり、ユーザによる押圧操作があるたびに、給湯装置のオン状態とオフ状態とが交互に切り替わる。運転スイッチ２１ａがオン状態のときに、給湯栓（図示略）が開かれ、かつ所定流量以上の通水があると、一般給湯を行う。
【００３８】
また、本実施形態に係る給湯装置本体１は、たとえば給湯動作もリモコン装置２からの操作情報も入力されない状態が所定時間以上継続すると、通常の運転モードから消費電力抑制モードに自動的に移行する機能を備えている。消費電力抑制モードとは、後述するように商用電源ＰＷを遮断して電力消費を抑制するモードである。運転スイッチ２１ａは、消費電力抑制から通常の運転モードに復帰させるための操作スイッチとしても機能する。なお、給湯装置本体１は、消費電力抑制モードにおいてはリモコン装置２に電力を供給しないため、後述するように消費電力抑制モードから運転モードに復帰されるための運転スイッチ２１ａの操作情報を給湯装置本体１に伝達させるためのバックアップ電源（コンデンサ充電電荷を利用した電源）を備えている。
【００３９】
表示部２２は、たとえば多数の蛍光体をドットマトリクス状に配置した蛍光管や液晶ディスプレイ等からなる。
【００４０】
リモコン側マイコン１５は、リモコン装置２の制御中枢となるものであり、図示しないＲＯＭに記憶されている運転実行プログラム、あるいは操作部２１の操作内容に基づいて、各部の動作制御やデータ処理を実行し、表示部２２にたとえば給湯温度、風呂湯温の設定温度やバーナの点火状況等を必要に応じて表示したり、スピーカ２３から音声を出力したりする。
【００４１】
通信部１６は、本体側マイコン１２との通信を行うためのものであり、所定の変復調方式に基づいた変復調回路によって構成されている。
【００４２】
次に、給湯装置本体１およびリモコン装置２の電源系統における回路構成について、図３を参照して詳述する。給湯装置本体１の端子ａ１，ａ２は、電源ケーブルＣを介してコンセント等に接続され、これにより、給湯装置本体１に商用電源ＰＷ（たとえばＡＣ１００Ｖ）が供給される。給湯装置本体１内において、端子ａ１，ａ２は、電源線ＣＣに接続され、電源線ＣＣは、リレー接点ＳＷを介してレギュレータＲＧに接続されている。なお、商用電源ＰＷに代えて、自家発電による電源が採用されてもよい。
【００４３】
レギュレータＲＧは、たとえばスイッチング電源やシリーズレギュレータ等によって構成されており、図示しないが、内部にトランス回路や平滑回路等を備え、給湯装置本体１の本体側マイコン１２や他の制御回路に対して所定の電圧を供給するものである。また、リレー接点ＳＷは、元電源のスイッチであり、消費電力抑制モードにおいては元電源をオフにして電力消費を抑制する機能を果たすものである。リレー接点ＳＷは、後述するリレーコイルＲＹによってオン、オフ動作される。
【００４４】
電源線ＣＣの一方の線には、リレー接点ＳＷの上流側においてヒューズＦＵが介装されている。ヒューズＦＵの下流側は、一次側グランドに接地されている。また、電源線ＣＣの他方の線には、抵抗Ｒ１を介して整流用ダイオードＤ１が接続され、さらにこの整流用ダイオードＤ１には、平滑用コンデンサＣ１が接続されている。整流用ダイオードＤ１および平滑用コンデンサＣ１は、後述するリレーコイルＲＹ、トランジスタＱ１等の能動素子のための駆動電源（直流電源）を生成する回路である。
【００４５】
整流用ダイオードＤ１のカソード端子には、上記リレー接点ＳＷをオン、オフ動作させるためのリレーコイルＲＹの正極側が接続されている。また、リレーコイルＲＹの負極側は、抵抗Ｒ２を介してサイリスタＳのアノード側に接続されている。サイリスタＳは、リレーコイルＲＹへの通電を制御するスイッチ素子であり、抵抗Ｒ２は、サイリスタＳに流れる電流を制限する抵抗である。
【００４６】
また、リレーコイルＲＹの正極側には、抵抗Ｒ３を介してＰＮＰ型のスイッチングトランジスタＱ１のエミッタ端子が接続されており、このスイッチングトランジスタＱ１のコレクタ端子には、サイリスタＳのゲート端子が接続されている。スイッチングトランジスタＱ１のコレクタ端子およびサイリスタＳのカソード端子間には、抵抗Ｒ４と、コンデンサＣ２とが並列に接続されている。また、サイリスタＳのカソード端子は、一次側グランドに接地されている。スイッチングトランジスタＱ１はサイリスタＳのオン動作を制御するものであり、スイッチングトランジスタＱ１がオンになると、サイリスタＳのゲート端子に駆動電圧が印加され、サイリスタＳはオンになる。すなわち、リレーコイルＲＹに通電され、リレー接点ＳＷがオン（商用電源ＰＷの供給状態）になる。
【００４７】
サイリスタＳのアノード端子およびカソード端子間は、フォトカプラＰＣ３のフォトトランジスタに接続されている。フォトカプラＰＣ３のフォトダイオードのアノード端子側は、本体側マイコン１２に接続され、フォトダイオードのカソード端子側は、一次側グランドに接地されている。
【００４８】
なお、フォトカプラＰＣ３は、マイコン１２からの制御信号によりサイリスタＳをオフするスイッチ素子である。すなわち、マイコン１２によりフォトカプラＰＣ３が一時的にオンになると、サイリスタＳの両端が短絡されて電流が流れなくなり、サイリスタＳはオフになる。これにより、リレーコイルＲＹの通電が遮断され、リレー接点ＳＷはオフ（商用電源ＰＷの遮断状態）になる。
【００４９】
また、フォトカプラＰＣ２は、後述する充電用コンデンサＣ４（リモコン装置２の運転スイッチ２１ａの操作により消費電力抑制モードを運転モードに復帰可能にするために、当該リモコン装置２にバックアップ電源を供給するコンデンサ）の充電電圧が所定の電圧以下に低下したとき、その検出信号（後述する）により当該コンデンサＣ４を充電するべくサイリスタＳをオンするスイッチ素子である。
【００５０】
充電用コンデンサＣ４の電圧低下の検出信号によりフォトカプラＰＣ２がオンになると、スイッチングトランジスタＱ１がオンになり、サイリスタＳのゲート端子に駆動電圧が印加されてサイリスタＳはオンになる。これにより、リレーコイルＲＹに通電され、リレー接点ＳＷがオン（商用電源ＰＷの供給状態）になる。商用電源ＰＷが通電されると、レギュレータＲＧが起動し、当該レギュレータＲＧから給湯装置本体１内の回路とリモコン装置２内の回路に対する駆動電源（所定電圧の直流電源）が供給されるため、その電源により充電用コンデンサＣ４は充電される。この充電用コンデンサＣ４の充電に関する動作については後述する。
【００５１】
また、フォトカプラＰＣ１は、消費電力抑制モードにおいてリモコン装置２の運転スイッチ２１ａが操作されたとき、その操作信号により消費電力抑制モードを運転モードに復帰させるためにサイリスタＳをオンするスイッチ素子である。
【００５２】
運転スイッチ２１ａの操作信号によりフォトカプラＰＣ１がオンになると、スイッチングトランジスタＱ１がオンになり、サイリスタＳのゲート端子に駆動電圧が印加されてサイリスタＳはオンになる。これにより、リレーコイルＲＹに通電され、リレー接点ＳＷがオンになる。商用電源ＰＷが通電されると、レギュレータＲＧが起動し、給湯装置本体１は消費電力抑制モードから通常の運転モードに復帰する。
【００５３】
スイッチングトランジスタＱ１のエミッタ端子、ベース端子間には、抵抗Ｒ５が接続され、そのベース端子には抵抗Ｒ６を介して電解コンデンサＣ３の正極側が接続されている。電解コンデンサＣ３の負極側は、一次側グランドに接地されている。
【００５４】
電解コンデンサＣ３には、並列に抵抗Ｒ７が接続され、電解コンデンサＣ３の両端には、正極側に抵抗Ｒ８を介して、フォトカプラＰＣ１のフォトトランジスタと、フォトカプラＰＣ２のフォトトランジスタとがそれぞれ接続されている。
【００５５】
ここで、電解コンデンサＣ３は、たとえば電源ケーブルＣがコンセント等に接続され、商用電源ＰＷが供給されるときのサイリスタＳのオン、オフ動作の状態を間接的に規定するものである。すなわち、上記のようにコンセント等に接続され、商用電源ＰＷが供給されると、サイリスタＳがオンするのに十分なだけの期間、電解コンデンサＣ３に電流が流れる。そして、スイッチングトランジスタＱ１がオンになり、サイリスタＳのゲート端子に駆動電圧が印加されて、サイリスタＳがオンした後は、スイッチングトランジスタＱ１はオフとなる。この構成により、フォトカプラＰＣ３によるサイリスタＳのオフが可能になる。
【００５６】
フォトカプラＰＣ１のフォトダイオードの両端には、抵抗Ｒ９が接続され、フォトダイオードのアノード端子側には、抵抗Ｒ１０を介してＰＮＰ型のスイッチングトランジスタＱ２のコレクタ端子が接続されている。スイッチングトランジスタＱ２は、消費電力抑制モードにおいてリモコン装置２の運転スイッチ２１ａが操作されると、その操作信号によりオンになり、充電用コンデンサＣ４から電源を供給してフォトカプラＰＣ１をオンさせるものである。スイッチングトランジスタＱ２のエミッタ端子、ベース端子間には、抵抗Ｒ１１が接続され、スイッチングトランジスタＱ２のベース端子には、抵抗Ｒ１２、逆電流防止用のダイオードＤ２、およびコイルＬ１が直列に接続されている。
【００５７】
ダイオードＤ２のカソード端子には、電圧端子（たとえばＤＣ１５Ｖ）にアノード側が接続された逆電流防止用のダイオードＤ３が接続されている。このＤＣ１５Ｖは、リモコン装置２に与えられる電圧である。コイルＬ１の下流側は、リモコン装置２に接続するための一方の端子ｂ１に接続され、他方の端子ｂ２は、二次側グランドに接地されている。
【００５８】
フォトカプラＰＣ２のフォトダイオードの両端には、抵抗Ｒ１３が接続され、フォトダイオードのアノード端子側は、抵抗Ｒ１４を介してリセットＩＣ２４の入力端子２４ａに接続されている。
【００５９】
ここで、リセットＩＣ２４は、後述する充電用コンデンサＣ４の充電量を検出するものであり、充電用コンデンサＣ４の充電量が所定電圧以下になれば、「ＬＯＷ」信号を出力端子２４ｂから出力する。リセットＩＣ２４の出力端は、フォトカプラＰＣ２のフォトダイオードのカソード端子に接続されている。
【００６０】
また、リセットＩＣ２４の入力端子２４ａには、充電用コンデンサＣ４の正極側が接続されているとともに、電圧端子（たとえばＤＣ４．４Ｖ）が接続されている。
【００６１】
ここで、充電用コンデンサＣ４は、たとえば最大１Ｆ（ファラッド）の電荷を蓄えるための充電機能を有する素子（スーパキャパシタンスともいう）である。なお、この充電用コンデンサＣ４に代えて、汎用の充電池等が用いられてもよい。
【００６２】
充電用コンデンサＣ４の負極側は、二次側グランドに接地されている。また、充電用コンデンサＣ４の正極側には、抵抗Ｒ１５およびダイオードＤ４を介して電圧端子（たとえば５Ｖ）が接続されている。
【００６３】
次に、リモコン装置２の電源系統における回路構成について詳述する。リモコン装置２は、給湯装置本体１と繋ぐための２芯ケーブル３が接続される端子ｃ１，ｃ２を有している。端子ｃ１，ｃ２は、給湯装置本体１からの電圧を整流するためのブリッジダイオードＢＤに接続され、ブリッジダイオードＢＤは、コイルＬ２、運転スイッチ２１ａ（図２参照）、および抵抗Ｒ１７，Ｒ１８による閉回路に接続されている。また、抵抗Ｒ１７，Ｒ１８の間には、抵抗Ｒ１９を介してリモコン側マイコン１５が接続されている。
【００６４】
また、コイルＬ２は、ＰＮＰ型のスイッチングトランジスタＱ３のエミッタ端子に接続され、スイッチングトランジスタＱ３のベース端子には、ツェナーダイオードＺＤのカソード端子が接続されている。スイッチングトランジスタＱ３のコレクタ端子とツェナーダイオードＺＤのアノード端子との間には、負荷２６が接続されており、この場合、負荷２６としては表示部２２等が挙げられる。ツェナーダイオードＺＤのアノード端子は、二次側グランドに接地されている。
【００６５】
運転スイッチ２１ａはモメンタリーのワンプッシュスイッチからなり、運転スイッチ２１ａが押し下げられると、コイルＬ２と抵抗Ｒ１７とが接続され、給湯装置本体１から供給される電源により抵抗Ｒ１７および抵抗１８の閉回路に電流が流れて抵抗１８に電圧が生じる。抵抗１８に生じた電圧は抵抗１９を介してリモコン側マイコン１５に入力され、これによりリモコン側マイコン１５は運転スイッチ２１ａが操作されたことを認識する。
【００６６】
また、消費電力抑制モードにおいて運転スイッチ２１ａが押し下げられると、コイルＬ２と抵抗Ｒ１７とが接続され、給湯装置本体１側に設けられた充電コンデンサＣ４の放電経路を形成する。すなわち、給湯装置本体１の抵抗Ｒ１１，Ｒ１２，ダイオードＤ２，コイルＬ１と２芯ケーブル３とリモコン装置２側のブリッジダイオードＢＤ，コイルＬ２，Ｒ１７およびＲ１８により放電経路が形成される。したがって、充電用コンデンサＣ４に充電された電荷がこの放電経路により放電され、これにより給湯装置本体１のスイッチングトランジスタＱ２がオンになり、さらに上述したようにフォトカプラＰＣ１、スイッチングトランジスタＱ１がオンになり、リレーコイルＲＹを通電してリレー接点ＳＷがオン（商用電源ＰＷの供給状態）になるので、消費電力抑制モードから通常の運転モードに復帰する。
【００６７】
次に、上記の構成における作用について説明する。
【００６８】
まず、通常の運転モードから運転スイッチ２１ａによる操作によって消費電力抑制モードに移行する場合を説明すると、リモコン装置２において運転スイッチ２１ａが押下されると、リモコン側マイコン１５は、その旨の信号を２芯ケーブル３および通信部１４を介して給湯装置本体１の本体側マイコン１２に送る。本体側マイコン１２は、フォトカプラＰＣ３をオンさせ、サイリスタＳに流れる電流を阻止させる。これにより、リレーコイルＲＹには、電流が流れなくなり、リレー接点ＳＷがオンからオフになり、商用電源ＰＷの供給を遮断する。すなわち、消費電力抑制モードに移行すると、レギュレータＲＧ自体の電力消費がゼロになり、消費電力の削減を図ることができる。
【００６９】
なお、本体側マイコン１２は、リモコン側マイコン１５から運転スイッチ２１ａが押下された旨の信号を受けると、フォトカプラＰＣ３をオンさせる前に、商用電源ＰＷの供給が遮断される前の所定の処理を行ってもよい。たとえば、本体側マイコン１２は、運転スイッチ２１ａが押下された旨の信号を受けると、燃焼用ファン（図示略）のポストパージ運転を完了させてからフォトカプラＰＣ３をオンさせるようにする。
【００７０】
そのため、給湯装置本体１には、電源電圧が供給されなくなり、本体側マイコン１２等の動作が停止する。また、リモコン装置２にも電源電圧が供給されなくなり、リモコン側マイコン１５等の動作も停止する。すなわち、上記状態では、給湯装置本体１およびリモコン装置２には、電源電圧が供給されていないことになり、消費電力を抑制することができる。ただし、充電用コンデンサＣ４には、運転動作中に、ダイオードＤ４を介してＤＣ５Ｖが供給されて充電が行われている。
【００７１】
次いで、消費電力抑制モードから通常の運転モードに移行される場合を説明すると、運転動作を開始するために、ユーザの操作によってリモコン装置２の運転スイッチ２１ａが押下された場合、充電用コンデンサＣ４に蓄えられていた電荷は、スイッチングトランジスタＱ２、抵抗Ｒ１２、ダイオードＤ２、コイルＬ１、ブリッジダイオードＢＤ、コイルＬ２等を通じて運転スイッチ２１ａに電流が流れる。これにより、オン動作されたスイッチングトランジスタＱ２によってフォトカプラＰＣ１がオンする。
【００７２】
その結果、コンデンサＣ３に電流が流れるとともに、スイッチングトランジスタＱ１がオンし、サイリスタＳのゲート端子に電圧が印加され、リレーコイルＲＹに電流が流れることにより、リレー接点ＳＷがオンする。そのため、商用電源ＰＷが給湯装置本体１に供給されることになる。
【００７３】
このように、消費電力抑制モードに移行した場合、従来では、リモコン装置２には電源電圧が供給されていないため、リモコン装置２を用いて商用電源ＰＷを投入することはできなかったが、上記構成および作用により、消費電力抑制モードに移行した場合にもリモコン装置２における操作により商用電源ＰＷを投入することができ、通常の給湯運転モードに復帰させることができる。そのため、使い勝手のよい給湯装置を提供することができる。
【００７４】
しかも、リモコン装置２から運転動作開始するための運転スイッチ２１ａが押下される際には、リレー接点ＳＷがオフ状態であるため、運転待機中等に商用電源ＰＷが供給されることによる無駄な電力の消費を抑制することができる。
【００７５】
ここで、充電用コンデンサＣ４は、消費電力抑制モードが継続されて電圧が供給されないでいると、序々に放電し、所望の充電量を維持できなくなることがある。そのようなことがあると、上記したように、リモコン装置２の運転スイッチ２１ａを押下しても、充電用コンデンサＣ４の充電量が少ないために、スイッチングトランジスタＱ２をオンできなくなり、リレー接点ＳＷをオンできず、ひいては商用電源ＰＷを供給できなくなってしまう。
【００７６】
そこで、本実施形態では、そのような不都合が生じないように、充電用コンデンサＣ４の電圧が一定電圧以下になったときに、それを自動的に復帰できるように構成されている。
【００７７】
具体的に説明すると、充電用コンデンサＣ４の充電量が低下してくると、その正極側に接続されているリセットＩＣ２４がそれを検出し、リセットＩＣ２４は、「ＬＯＷ」信号をフォトカプラＰＣ２に出力する。
【００７８】
このとき、フォトカプラＰＣ２には、充電用コンデンサＣ４からの電流が抵抗Ｒ１４を介して流れ、これにより、フォトカプラＰＣ２がオン動作する。その結果、コンデンサＣ３に電流が流れるとともに、スイッチングトランジスタＱ１がオンする。そして、サイリスタＳのゲート端子に電圧が印加され、リレーコイルＲＹに電流が流れることにより、リレー接点ＳＷがオンする。そのため、商用電源ＰＷが給湯装置本体１に供給されることになる。したがって、商用電源ＰＷが供給されることから、充電用コンデンサＣ４は、再び、充電されることになり、所定の充電量になるまで充電することができる。ゆえに、消費電力抑制モードにおいて、ユーザによるリモコン装置２からの電源投入操作を、常時、支障なく行うことができる。
【００７９】
また、商用電源ＰＷの供給を阻止または許可するためのリレー接点ＳＷにおいては、オン、オフの回数によって、経年的な要因で接点不良を生じさせるおそれがある。充電用コンデンサＣ４においては、経年的に定格容量が低下し、一定電圧以下になる時期が早期に到来する場合があり、それがリレー接点ＳＷのオン、オフ回数の増加を生じさせる。そのため、リレー接点ＳＷにおいてより接点不良を生じさせる可能性を高めることになる。その結果、消費電力抑制モードにおいて、リモコン装置２から運転スイッチ２１ａの操作を行っても、リレー接点ＳＷがオンせず、商用電源ＰＷが供給されないことが考えられる。
【００８０】
そこで、本実施形態では、かかる不具合を解消するため、給湯装置本体１において、リレー接点ＳＷのオン、オフの累積回数をカウントし、その累積回数が所定のカウント数になれば、消費電力抑制モードに移行しないようにしている。すなわち、リレー接点ＳＷをオンに保持して、給湯装置本体１に常時、電源を供給する状態にするようにしている。
【００８１】
具体的には、給湯装置本体１の本体側マイコン１２は、図４に示すように、リレー接点ＳＷがオフからオンになる回数をカウントする。この場合、リレー接点ＳＷがオンになれば、本体側マイコン１２が立ち上がったことになるので、厳密には、本体側マイコン１２は、自己の立ち上がった回数をカウントすることになる（Ｓ１）。なお、リレー接点ＳＷがオンになる条件は、ユーザがリモコン装置２の運転スイッチ２１ａをオンしたときと、充電用コンデンサＣ４の充電量が低下した後に自動的に復帰するときとが挙げられる。
【００８２】
本体側マイコン１２は、リレー接点ＳＷがオフからオンになったと判別すると（Ｓ１：ＹＥＳ）、すなわち、自己が立ち上がると、ＥＥＰＲＯＭ１３に記憶しているオン回数Ｋに「１」を加え（Ｓ２）、加えた数値を再度ＥＥＰＲＯＭ１３に記憶する。
【００８３】
次いで、オン回数Ｋが規定回数を越えるか否かの判別を行い（Ｓ３）、オン回数Ｋが規定回数を越えない場合（Ｓ３：ＹＥＳ）は、本処理を終了する。一方、オン回数Ｋが規定回数を越える場合（Ｓ３：ＮＯ）は、消費電力を抑制するためのモードに移行しないようにする。すなわち、リレー接点ＳＷのオン動作を保持し、それ以降に、たとえばリモコン装置２から運転スイッチ２１ａがオフした旨の信号が到来しても、リレー接点ＳＷをオフしないようにして、消費電力を抑制するためのモードに移行しないようにする。すなわち、消費電力抑制機能を動作させないようにする。なお、このとき、消費電力を抑制するためのモードに移行しない旨をたとえばリモコン装置２の表示部２２に表示したり、スピーカ２３から音声出力したりしてもよい。
【００８４】
このようにすれば、消費電力抑制モードは解除されることになるが、ユーザがリモコン装置２の運転スイッチ２１ａをオン操作したとき、あるいは消費電力抑制モード時に充電用コンデンサＣ４の充電量が低下した後に自動的に復帰するときにおいて、リレー接点ＳＷがオン動作しなくなるといったおそれを解消することができる。
【００８５】
なお、図３に示した回路構成においては、たとえば商用電源ＰＷを供給するための電源ケーブルＣをコンセント等から比較的短時間で抜き差しした場合であっても、スイッチングトランジスタＱ１をオンできるようにするため、電源ケーブルＣをコンセント等から抜いたとき、即座に電解コンデンサＣ３における電荷を放電させる必要がある。そのため、電解コンデンサＣ３と並列に接続された抵抗Ｒ７の定数を小さく設定する必要がある。このようにすると、常時、抵抗Ｒ７において比較的大きな電力が消費されてしまう。そこで、図５に示すように、電源ケーブルＣがコンセント等から抜かれている間、所定時間オンし、電源ケーブルＣがコンセント等に接続されている間、常時オフする電界効果トランジスタＦＥＴ１を抵抗Ｒ７と直列に接続するようにして、より一層の省電力化を図るようにしてもよい。
【００８６】
具体的な回路構成は、スイッチングトランジスタＱ１のベース端子に、ダイオードＤ１１のアノード端子が接続され、そのカソード端子が抵抗Ｒ６の一端に接続されている。また、抵抗Ｒ７の一端には、電界効果トランジスタＦＥＴ１のドレイン端子が接続されている。電界効果トランジスタＦＥＴ１のソース端子は、一次側グランドに接地されている。電界効果トランジスタＦＥＴ１のゲート端子は、電解コンデンサＣ３に対して並列に接続された抵抗Ｒ３５，Ｒ３６の中点に接続されているとともに、電界効果トランジスタＦＥＴ２のドレイン端子に接続されている。電界効果トランジスタＦＥＴ１のゲート端子と一次側グランドとの間には、コンデンサＣ５が介在されている。電界効果トランジスタＦＥＴ２のソース端子は、一次側グランドに接地され、そのゲート端子は、抵抗Ｒ３７の一端に接続され、抵抗Ｒ３７の他端は、一次側グランドに接地されている。また、電界効果トランジスタＦＥＴ２のゲート端子は、抵抗Ｒ３８を介してスイッチングトランジスタＱ１のベース端子に接続されている。
【００８７】
この回路によると、電源ケーブルＣがコンセント等に接続されているときは、電界効果トランジスタＦＥＴ２はオン状態となる一方、電界効果トランジスタＦＥＴ１はオフ状態となる。逆に、電源ケーブルＣがコンセント等から抜かれているときは、電界効果トランジスタＦＥＴ２はオフ状態となり、その状態で、電解コンデンサＣ３に所定量の電荷が残っているときは、電界効果トランジスタＦＥＴ１はオン状態となり、電解コンデンサＣ３の電荷を放電する。なお、上記回路において、電界効果トランジスタＦＥＴ１のゲート端子における電位を決定するための抵抗Ｒ３５および抵抗Ｒ３６の値は、抵抗Ｒ７の値より大きくなるように設定することが可能であるため、電源コンセント接続中の消費電力をさらに削減することができる。
【００８８】
ところで、上記電源系統における回路においては、たとえば本体側マイコン１２からリレー接点ＳＷをオフさせて消費電力抑制モードに移行する場合、フォトカプラＰＣ３を介してオフ信号が伝達される。そのため、仮にフォトカプラＰＣ３がたとえばノイズの影響で誤動作してしまうと、運転動作中にもかかわらず、リレー接点ＳＷがオフしてしまい、給湯装置の運転が停止してしまうといったことが起こるおそれがある。
【００８９】
そこで、リレーコイルＲＹに電流を流すためのサイリスタＳにも、常時あるいは定期的に電流を流すことにより、フォトカプラＰＣ３が誤動作したときの不具合を解消するようにするとよい。
【００９０】
具体的には、図３に示す回路に代えて、図６に示す回路を適用するとよい。すなわち、本体側マイコン１２には、直接的にフォトカプラＰＣ２が接続されている。その他の構成については、リセットＩＣ２４（図３参照）が削除された以外、図３に示す回路構成と略同様である。
【００９１】
上記構成によれば、通常の運転モード時において、本体側マイコン１２は、定期的または常時、フォトカプラＰＣ２をオンさせる。これにより、コンデンサＣ３が放電し、スイッチングトランジスタＱ１のベース端子に電流が流れ、スイッチングトランジスタＱ１がオンする。その結果、サイリスタＳのゲート端子に電圧が印加され、サイリスタＳは、オン状態を維持することができる。そのため、リレーコイルＲＹに電流を流し続けることができ、フォトカプラＰＣ３がノイズによる誤動作で一瞬オンしたとしても、リレー接点ＳＷのオン状態を維持することができる。
【００９２】
なお、フォトカプラＰＣ２を常時オンしておけば、ノイズによるフォトカプラＰＣ３の誤動作をほぼ完全に防止することができるが、フォトカプラＰＣ２を常時オンしておくと、その分、消費電力が増加するので、フォトカプラＰＣ２を定期的にオンさせて、コンデンサＣ３を放電させるようにすることがより望ましい。たとえば、燃焼ユニット１０の動作中は、フォトカプラＰＣ２をオンしておき、給湯運転休止中は、フォトカプラＰＣ２をオフしておくといった制御を行ってもよい。
【００９３】
ところで、給湯装置本体１には、図７に示すように、床暖房装置や温水エアコン等のオプション機器５が接続される場合がある。このようなオプション機器５が給湯装置本体１に接続される場合、オプション機器５が仮に上記したリレー接点ＳＷの上流側において接続されれば、商用電源ＰＷがそのままオプション機器５に供給されるので問題はない。しかし、リレー接点ＳＷの下流側においてオプション機器５が接続された場合、上記したような消費電力を抑制するためにリレー接点ＳＷをオフにすると、オプション機器５に対して商用電源ＰＷが供給されなくなり、オプション機器５が動作されなくなる。
【００９４】
なお、ここでいうオプション機器５とは、そのオプション機器５に設けられた、たとえば操作スイッチの操作によってのみ、給湯装置本体１のリレー接点ＳＷをオンさせて商用電源ＰＷの供給を行う構成を備えていない装置をいう。たとえば、その装置における操作スイッチの操作が行われていないにもかかわらず、電力を消費してしまい、それによって給湯装置本体１のリレー接点ＳＷがオンしてしまうといった構成の装置は、消費電力抑制モードに移行する制御、あるいは消費電力抑制モードから通常モードに復帰する制御が成り立たないため、この実施形態に係るオプション機器５に該当する。そのため、リモコン装置２の中でも、上記構成を備えていないリモコン装置は、この実施形態に係るリモコン装置２には該当せず、オプション機器５に含まれるものとする。また、消費電力抑制モードに移行する制御、あるいは消費電力抑制モードから通常モードに復帰する制御を実行したときに、その装置における制御ソフトウェアまたはハードウェア等に不具合が生じるような装置は、この実施形態に係るオプション機器５に該当する。
【００９５】
そこで、本実施形態では、図８に示すように、そのようなオプション機器５が給湯装置本体１に接続されている場合には、消費電力抑制モードには移行しない、すなわち、消費電力抑制機能を動作させないように制御している。
【００９６】
具体的には、本体側マイコン１２は、電源供給により立ち上がった際（Ｓ１１）、オプション機器５が接続されているか否かを判別する（Ｓ１２）。たとえば、本体側マイコン１２は、オプション機器５に対して確認信号を通信部１４を介して送り、オプション機器５からの返答信号がある場合に、それが接続されていると判別する。
【００９７】
ステップＳ１２において、オプション機器５が接続されていると判別した場合（Ｓ１２：ＹＥＳ）、消費電力抑制モードに移行することを禁止する（Ｓ１３）。すなわち、それ以降に、たとえばリモコン装置２から運転スイッチ２１ａをオフした旨の信号が到来しても、リレー接点ＳＷをオフしないようにして、消費電力抑制モードに移行しないようにする。一方、オプション機器５が接続されていないと判別した場合（Ｓ１２：ＮＯ）、本処理を終了する。
【００９８】
このようにすれば、オプション機器５接続時には消費電力抑制モードへは移行しないので、オプション機器５へは、商用電源ＰＷが確実に供給されることになり、オプション機器５の良好な動作を確保することができる。
【００９９】
ところで、上記のように、充電用コンデンサＣ４の充電量を一定に維持するために、自動的に商用電源ＰＷが供給されると、リモコン装置２においてユーザによる電源投入の操作がないにもかかわらず、なぜ電源がオンされるのかといった不信感をユーザに与えることになる。また、上記のようにユーザの操作なしに商用電源ＰＷが自動的に供給された直後に、ユーザがたとえば、消費電力の測定装置を給湯装置に接続して、消費電力の測定を行うと、消費電力は「０」を示さないことになる。そのため、ユーザには、電源投入の操作をしないのにもかかわらず、消費電力が「０」を示さないため、このような場合にも不信感を与えることになる。なお、近年、消費電力測定機能を備えた給湯装置も提案されており、この機能を用いて消費電力が測定されることもある。
【０１００】
そこで、このような不都合を解消するため、充電用コンデンサＣ４が充電中であるときに電力が消費されていることをユーザに報知するようにするとよい。この場合、図３および図６に示す回路に代えて、たとえば図９に示す回路を適用するとよい。図９に示す回路について、図３に示した回路と異なる構成について主に述べると、図３におけるフォトカプラＰＣ１と、このフォトカプラＰＣ１から端子ｂ１，ｂ２に至る回路が削除されている。
【０１０１】
フォトカプラＰＣ２のフォトダイオードのアノード端子側には、インバータ３１が接続されているとともに、スイッチングトランジスタＱ４のコレクタ端子が接続されている。インバータ３１には、本体側マイコン１２が接続されている。インバータ３１は、充電用コンデンサＣ４が充電状態である情報をマイコン１２に入力する回路である。
【０１０２】
スイッチングトランジスタＱ４のエミッタ端子には、図３に示した充電用コンデンサＣ４の正極側が接続され、スイッチングトランジスタＱ４のベース端子には、抵抗Ｒ２１，Ｒ２２を介してリセットＩＣ２４が接続されている。抵抗Ｒ２１の他端には、ダイオードＤ６，Ｄ７のアノード端子側がそれぞれ接続され、ダイオードＤ６のカソード端子側は、本体側マイコン１２に接続されている。ダイオードＤ６は、充電用コンデンサＣ４の電圧が低下し、充電のために商用電源ＰＷがオンになっている情報をマイコン１２に入力する回路である。一方、ダイオードＤ７のカソード端子側は、コイルＬ３を介して一方の端子ｂ１に接続されている。
【０１０３】
一方の端子ｂ１は、たとえばオプション機器５を接続するための一方の端子ｄ１に接続されている。また、他方の端子ｂ２に対応する他方の端子ｄ２は、二次側グランドに接地されている。なお、端子ｄ１，ｄ２は、設けられていない構成であってもよい。この場合、オプション機器５からのケーブルは、端子ｂ１，ｂ２に２芯ケーブル３と共締めされて接続される。
【０１０４】
本体側マイコン１２には、抵抗Ｒ２３を介してスイッチングトランジスタＱ５のベース端子が接続され、スイッチングトランジスタＱ５のコレクタ端子は、抵抗Ｒ２４を介してスイッチングトランジスタＱ６のベース端子に接続されている。スイッチングトランジスタＱ５のエミッタ端子は、二次側グランドに接地されている。また、スイッチングトランジスタＱ６のエミッタ端子は、たとえばＤＣ１５Ｖの電圧端子に接続され、そのコレクタ端子は、前述したダイオードＤ７のカソード端子側に接続されている。
【０１０５】
また、フォトカプラＰＣ３のフォトダイオードのアノード端子側は、たとえばＤＣ４．４Ｖの電圧端子に接続され、そのカソード端子側は、スイッチングトランジスタＱ７のコレクタ端子に接続されている。スイッチングトランジスタＱ７のベース端子は、抵抗Ｒ２５を介して本体側マイコン１２に接続されている。スイッチングトランジスタＱ７のエミッタ端子は、二次側グランドに接地されている。その他の構成については、図３に示す回路構成と略同様である。
【０１０６】
上記回路構成によれば、上述したように、消費電力抑制モードにおいて、充電用コンデンサＣ４の充電量が一定電圧以下に低下した場合、それをリセットＩＣ２４が検知し、「ＬＯＷ」信号を出力することにより、スイッチングトランジスタＱ４がオン動作する。これにより、フォトカプラＰＣ２がオンし、リレー接点ＳＷがオンして、商用電源ＰＷが供給され、充電用コンデンサＣ４が再び、充電状態となる。
【０１０７】
このとき、本体側マイコン１２は、スイッチングトランジスタＱ４に接続されているインバータ３１を通じて、充電用コンデンサＣ４が充電中である旨の信号が入力されることにより、それを検出する。
【０１０８】
すなわち、本体側マイコン１２は、図１０に示すように、充電用コンデンサＣ４が充電中であるか否かを判別し（Ｓ２１）、インバータ３１を通じて充電用コンデンサＣ４が充電中である旨の信号が入力されれば、充電用コンデンサＣ４が充電中であると判別し（Ｓ２１：ＹＥＳ）、リモコン装置２に対して通信部１４を介して充電用コンデンサＣ４が充電中である旨を送信する（Ｓ２２）。
【０１０９】
リモコン装置２のリモコン側マイコン１５では、その旨を受信すると、表示部２２にたとえば「バックアップ電源充電中です」といった表示を行う。これにより、ユーザは、たとえば消費電力を測定したときに、電源操作をしていないのにもかかわらず、消費電力が「０」でない理由が、充電用コンデンサＣ４が充電中であることが即座にかつ確実に把握することができる。そのため、ユーザに安心感を与えることができる。
【０１１０】
ところで、上記のように、消費電力抑制モードを実行可能な給湯装置では、たとえば冬場等に凍結予防運転を給湯装置本体１側のみで行う必要があるときがある。このような場合は、給湯装置本体１のみを動作させ、リモコン装置２には、電源の供給をしないことにより、可及的に消費電力を抑制することが好ましい。そこで、図９に示す回路では、凍結予防運転を給湯装置本体１側のみで行う必要があるとき、給湯装置本体１のみを動作させる機能が設けられている。図９において、スイッチングトランジスタＱ５，Ｑ６で構成する回路は、本体側マイコン１２が凍結予防運転を給湯装置本体１側のみで行う必要があると判断したとき、リモコン装置２への電源供給を遮断するための回路である。
【０１１１】
図９に示した回路においては、本体側マイコン１２は、給湯装置本体１の動作モードに基づいて、給湯装置本体１のみを動作させ、リモコン装置２には、電源の供給をしないように動作させるか、または給湯装置本体１およびリモコン装置２とも電源供給しないかを判別する。たとえば、本体側マイコン１２は、何らかの負荷を動作させなければならないとき、センサの入力が必要なとき、次の運転動作のスタンバイ状態になるとき等においては、給湯装置本体１のみを動作させる必要があると判別する。それに対し、このような状態にならないときは、給湯装置本体１およびリモコン装置２とも電源供給しないと判別する。
【０１１２】
本体側マイコン１２は、給湯装置本体１のみを動作させる必要があると判別した場合、スイッチングトランジスタＱ５をオフ動作させる。これにより、スイッチングトランジスタＱ６がオフ動作し、ＤＣ１５Ｖが端子ｂ１，ｂ２を通じてリモコン装置２に供給されなくなる。その結果、リモコン装置２では、スイッチングトランジスタＱ３がオフすることになり、負荷２６には、電源が供給されなくなる。したがって、可及的に消費電力を抑制することができる。
【０１１３】
なお、この状態において、リモコン装置２を正規の電源電圧（たとえばＤＣ１５Ｖ）で動作させることもできる。たとえば、上記したように、リモコン装置２に電源電圧が供給されていない状態でも、運転スイッチ２１ａを押下することにより、充電用コンデンサＣ４において蓄えられていた電荷によって、スイッチングトランジスタＱ４がオン動作する。このとき、本体側マイコン１２には、インバータ３１を通じて、スイッチングトランジスタＱ４がオン動作した旨の信号が伝達される。これにより、本体側マイコン１２は、スイッチングトランジスタＱ５をオンさせることにより、スイッチングトランジスタＱ６がオンされ、リモコン装置２にＤＣ１５Ｖが供給されることになる。
【０１１４】
ところで、給湯装置本体１およびリモコン装置２を備えた給湯装置においては、消費電力を抑制することのできる他の回路構成として、図１１に示すように、漏電ブレーカ３２を備えた回路構成を挙げることができる。
【０１１５】
すなわち、商用電源ＰＷが入力される端子ａ１，ａ２には、ヒューズＦＵを介して漏電ブレーカ３２が接続されている。漏電ブレーカ３２の出力には、レギュレータＲＧが接続されている。漏電ブレーカ３２のＴＥＳＴ端子には、フォトカプラＰＣ４のフォトトランジスタが接続され、フォトカプラＰＣ４のフォトダイオードのアノード端子側には、本体側マイコン１２が接続されている。そのフォトダイオードのカソード端子側は、グランドに接地されている。
【０１１６】
漏電ブレーカ３２のＲＥＳＥＴ端子には、フォトカプラＰＣ５のフォトトランジスタが接続されている。フォトカプラＰＣ５のフォトダイオードのアノード端子側には、充電用コンデンサＣ４の正極側が接続されているとともに、電圧端子（たとえばＤＣ５Ｖ）に接続されたダイオードＤ４のカソード端子側が接続されている。充電用コンデンサＣ４の負極側は、グランドに接地されている。
【０１１７】
フォトカプラＰＣ５のフォトダイオードのカソード端子側は、電圧端子（たとえばＤＣ１５Ｖ）に接続されているとともに、コイルＬ４を介して端子ｂ１に接続されている。端子ｂ２は、グランドに接地されている。また、端子ｂ１は、オプション機器５に接続可能な端子ｄ１に並列に接続されている。端子ｄ１と対構成とされる端子ｄ２は、グランドに接地されている。なお、端子ｄ１，ｄ２は、設けられていない構成であってもよい。この場合、オプション機器５からのケーブルは、端子ｂ１，ｂ２に２芯ケーブル３と共締めされて接続される。リモコン装置２の構成は、図３に示す構成と略同様である。
【０１１８】
この回路構成によれば、通常の運転モードから消費電力抑制モードに移行される際、本体側マイコン１２は、フォトカプラＰＣ４をオンさせ、漏電ブレーカ３２をオフさせる。これにより、給湯装置本体１には、電源電圧が供給されなくなり、本体側マイコン１２も停止状態となる。
【０１１９】
しかしながら、上記回路構成においては、漏電ブレーカ３２がオフとされた、消費電力抑制モードに移行しているとき、端子ｄ１，ｄ２に接続されたオプション機器５によっては、充電用コンデンサＣ４に蓄えられていた電荷がオプション機器５に向かって放電してしまうことがある。なお、ここでいうオプション機器５とは、そのオプション機器５に設けられた、たとえば操作スイッチの操作によってのみ、給湯装置本体１のリレー接点ＳＷをオンさせて商用電源ＰＷの供給を行う構成を備えていない装置をいう。たとえば、その装置における操作スイッチの操作が行われていないにもかかわらず、電力を消費してしまい、それによって給湯装置本体１のリレー接点ＳＷがオンしてしまうといった構成の装置は、消費電力抑制モードに移行する制御、あるいは消費電力抑制モードから通常モードに復帰する制御が成り立たないため、この実施形態に係るオプション機器５に該当する。そのため、リモコン装置２の中でも、上記構成を備えていないリモコン装置は、この実施形態に係るリモコン装置２には該当せず、オプション機器５に含まれるものとする。また、消費電力抑制モードに移行する制御、あるいは消費電力抑制モードから通常モードに復帰する制御を実行したときに、その装置における制御ソフトウェアまたはハードウェア等に不具合が生じるような装置は、この実施形態に係るオプション機器５に該当する。
【０１２０】
そのため、消費電力抑制モード時に、オプション機器５が電力を消費してしまい、本実施形態における消費電力抑制制御が成り立たないといった不都合が生じる虞がある。
【０１２１】
そこで、そのような不都合を解消するため、図１２に示すように、本体側マイコン１２によってオン、オフ動作可能なスイッチングトランジスタＱ８を端子ｂ１，ｄ１間に設け、充電用コンデンサＣ４の放電を防止するようにするとよい。
【０１２２】
すなわち、本体側マイコン１２には、スイッチングトランジスタＱ８のベース端子が接続され、スイッチングトランジスタＱ８のコレクタ端子には、端子ｂ１が接続され、そのエミッタ端子には、端子ｄ１が接続されている。その他の構成については、図１１に示した構成と略同様である。
【０１２３】
この構成により、本体側マイコン１２は、オプション機器５が接続されているか否かを通信部１４を介して把握し、オプション機器５が接続されている場合、その旨をＥＥＰＲＯＭ１３に記憶する。そして、消費電力抑制モードに移行する際、本体側マイコン１２は、フォトカプラＰＣ４をオンさせ、漏電ブレーカ３２をオフさせる。これにより、給湯装置本体１には、電源電圧が供給されなくなり、本体側マイコン１２も停止状態となる。
【０１２４】
そのため、スイッチングトランジスタＱ８はオープン状態となり、端子ｄ１，ｄ２に接続されているオプション機器５には、充電用コンデンサＣ４に蓄えられていた電荷が放電することがなくなる。
【０１２５】
また、このとき、リモコン装置２の運転スイッチ２１ａが押下されれば、充電用コンデンサＣ４に蓄えられていた電荷に基づいてフォトカプラＰＣ５に電流が流れる。そのため、フォトカプラＰＣ５がオンし、漏電ブレーカ３２がオンする。これにより、給湯装置本体１には、商用電源ＰＷが供給され、本体側マイコン１２が立ち上がる。
【０１２６】
このとき、本体側マイコン１２は、オプション機器５が接続されている旨をＥＥＰＲＯＭ１３から読み出すことにより認識し、スイッチングトランジスタＱ８をオンさせる。この結果、オプション機器５には、ＤＣ１５Ｖが供給されることになり、オプション機器５の良好な動作を確保することができる。
【０１２７】
このように、漏電ブレーカ３２を用いた場合でも、消費電力抑制モードを実現することができ、オプション機器５が接続されても充電用コンデンサＣ４の放電を確実に防止することができる。また、上記構成によれば、漏電ブレーカ３２を用いることにより、給湯装置本体１における回路構成が簡単となるといった利点がある。なお、リモコン装置２の中でも、ユーザによる操作によって充電用コンデンサＣ４の充電電荷を放電させるといったことができないリモコン装置２を、端子ｄ１，ｄ２に接続した場合は、スイッチングトランジスタＱ８がオープン状態のときには、このリモコン装置２において充電用コンデンサＣ４の充電電荷を放電させないようにすることができる。
【０１２８】
なお、図１２に示す構成は、たとえば図３、図５、図６、および図９に示す給湯装置の構成において、端子ｄ１，ｄ２が設けられた場合にも、適用することができる。また、ここでいうオプション機器５とは、そのオプション機器５に設けられた、たとえば操作スイッチの操作によってのみ、給湯装置本体１のリレー接点ＳＷをオンさせて商用電源ＰＷの供給を行う構成を備えていない装置をいう。たとえば、その装置における操作スイッチの操作が行われていないにもかかわらず、電力を消費してしまい、それによって給湯装置本体１のリレー接点ＳＷがオンしてしまうといった構成の装置は、消費電力抑制モードに移行する制御、あるいは消費電力抑制モードから通常モードに復帰する制御が成り立たないため、この実施形態に係るオプション機器５に該当する。そのため、リモコン装置２の中でも、上記構成を備えていないリモコン装置は、この実施形態に係るリモコン装置２には該当せず、オプション機器５に含まれるものとする。また、消費電力抑制モードに移行する制御、あるいは消費電力抑制モードから通常モードに復帰する制御を実行したときに、その装置における制御ソフトウェアまたはハードウェア等に不具合が生じるような装置は、この実施形態に係るオプション機器５に該当する。
【０１２９】
図１３は、本実施形態に係る給湯装置の変形例を示す概略構成図である。この給湯装置は、上記した実施形態に比して、リモコン装置２に対して供給する電圧端子（ＤＣ１５Ｖ）に基づいて、充電用コンデンサＣ４が充電される点で異なっている。
【０１３０】
図１３によれば、給湯装置本体１において、電圧端子（ＤＣ１５Ｖ）は、ダイオードＤ９を介して充電用コンデンサＣ４の正極側に接続されている。充電用コンデンサＣ４の負極側は、グランドに接地されている。電圧端子（ＤＣ１５Ｖ）には、充電用コンデンサＣ４のリモコン装置２に対して流れる電流を検知するための電流検知回路３３、およびコイルＬ５を介して端子ｂ１が接続されている。ここで、充電用コンデンサＣ４は、ダイオードＤ１０および抵抗Ｒ２９を介して電圧端子（ＤＣ１５Ｖ）に接続されているため、充電が可能とされる。
【０１３１】
電流検知回路３３は、充電用コンデンサＣ４の充電量が低下したときに再度元の充電量に復帰させるための自己保持回路３４に接続され、自己保持回路３４は、本体側マイコン１２に接続されている。
【０１３２】
また、自己保持回路３４は、抵抗Ｒ２７を介してスイッチングトランジスタＱ９のベース端子に接続されている。スイッチングトランジスタＱ９のコレクタ端子は、抵抗Ｒ２８を介してリレーコイルＲＹの負極側に接続されている。スイッチングトランジスタＱ９のエミッタ端子は、グランドに接地されている。このリレーコイルＲＹの正極側には、電圧端子（ＤＣ１５Ｖ）によってダイオードＤ１０および抵抗Ｒ２９を介して動作電圧が与えられる。
【０１３３】
リモコン装置２の回路構成は、図３に示した回路構成とほぼ同様であり、異なる点は、リモコン側マイコン１５に、抵抗Ｒ３０を介してスイッチングトランジスタＱ１０が接続され、そのコレクタ端子にスイッチングトランジスタＱ１１のベース端子が抵抗Ｒ３１を介してさらに接続され、スイッチングトランジスタＱ１１のエミッタ端子にコイルＬ２が接続されている。
【０１３４】
また、図１３に示すリモコン装置２においては、図示しないが、スイッチングトランジスタＱ１１の上流側にリモコン側マイコン１５の電源が備えられ、図１３以外の図に示すリモコン装置２においては、図示していないが、スイッチングトランジスタＱ３またはスイッチングトランジスタＱ１３の下流側にリモコン側マイコン１５の電源が備えられている。そのため、図１３に示すリモコン装置２では、消費電力抑制モードにおいてリモコン側マイコン１５で多少、電力が消費されるが、その消費量は比較的小さいため、電流検知回路３３が検知することがない。したがって、リモコン装置２のリモコン側マイコン１５の電力消費分のみでは、消費電力抑制モードから通常運転モードに移行することはない。なお、上記に示した図と同符号の部品については、同機能を有するものとする。
【０１３５】
上記回路構成によれば、消費電力抑制モードにおいては、電圧端子（ＤＣ１５Ｖ）からリモコン装置２に対して電圧が直接的に供給されないため、充電用コンデンサＣ４において蓄えられた充電量に基づいて、リモコン装置２に電圧が供給されることになる。しかしながら、リモコン装置２における負荷２６が大、すなわち、消費電力が大きい場合には、充電用コンデンサＣ４の充電量の消費速度が速くなってしまう。
【０１３６】
そこで、この実施形態では、リモコン装置２において負荷２６に対する電圧供給を強制的に阻止することにより、リモコン装置２における消費電力の低下を可及的に抑制するようにしている。
【０１３７】
具体的には、本体側マイコン１２は、通常運転動作を行っているモードから消費電力抑制モードに移行する場合、リモコン側マイコン１５に対して消費電力抑制モードに移行する旨の信号を送信する。この信号を受信したリモコン側マイコン１５は、スイッチングトランジスタＱ１０をオフさせることにより、スイッチングトランジスタＱ１１をオフさせる。これにより、負荷２６に対して充電用コンデンサＣ４による電源電圧の供給が阻止され、リモコン装置２における消費電力を抑制することができる。
【０１３８】
なお、リモコン側マイコン１５は、ユーザの操作により運転スイッチ２１ａが押下されると、リモコン装置２にＤＣ１５Ｖが供給され、リモコン側マイコン１５に電源が供給された後、リモコン側マイコン１５がスイッチングトランジスタＱ１０をオンさせる。これにより、スイッチングトランジスタＱ１１もオンし、負荷２６に対して給湯装置本体１からの電源電圧が供給される状態となる。
【０１３９】
また、図１４に示した回路構成においても、リモコン装置２において負荷２６に対する電圧供給を強制的に阻止することができる。図１３に示した回路構成と異なる点について主に説明すると、給湯装置本体１においては、電圧端子（ＤＣ１５Ｖ）と充電用コンデンサＣ４との間には、電圧降下を生じさせるための複数のダイオード群３５を接続する。
【０１４０】
一方、リモコン装置２においては、ブリッジダイオードＢＤの出力端に対して、抵抗Ｒ３２および抵抗Ｒ３３が直列に接続され、両抵抗Ｒ３２，Ｒ３３の間にスイッチングトランジスタＱ１２のベース端子が接続されている。スイッチングトランジスタＱ１２のコレクタ端子には、抵抗Ｒ３４を介してスイッチングトランジスタＱ１３のベース端子が接続されている。スイッチングトランジスタＱ１３のコレクタ端子とグランド間には、負荷２６が接続されている。
【０１４１】
このような構成によれば、消費電力抑制モードにおいては、電圧端子（ＤＣ１５Ｖ）からリモコン装置２に対して電圧が直接的に供給されないため、充電用コンデンサＣ４において蓄えられた充電量に基づいて、リモコン装置２に電圧が供給される。このとき、充電用コンデンサＣ４における電圧を、ダイオード群３５によって電圧降下させ、リモコン装置２には、たとえばＤＣ７Ｖ程度の電圧を供給させるようにする。なお、この構成に限らず、たとえばダイオード群３５を削除して充電用コンデンサＣ４の充電電圧が最大ＤＣ７Ｖ程度になるようにしてもよい。
【０１４２】
リモコン装置２では、ダイオード群３５によって低下された電圧が抵抗Ｒ３２，Ｒ３３によってさらに分圧され、スイッチングトランジスタＱ１２が動作できなくなる程度の電圧にさらに下げられる。そのため、スイッチングトランジスタＱ１２は、オフし、スイッチングトランジスタＱ１３もオフする。その結果、負荷２６に対して充電用コンデンサＣ４による電源電圧の供給が阻止され、リモコン装置２における消費電力を抑制することができる。
【０１４３】
なお、通常運転時には、リモコン装置２には、正規の電圧（ＤＣ１５Ｖ）が供給され、たとえ抵抗Ｒ３２，Ｒ３３によって分圧されても、スイッチングトランジスタＱ１２はオンし、それによりスイッチングトランジスタＱ１３もオンする。そのため、負荷２６に対して給湯装置本体１からの電源電圧が供給される状態となる。したがって、上記構成によっても、負荷２６に対して充電用コンデンサＣ４による電源電圧の供給が阻止され、リモコン装置２における消費電力を抑制することができる。
【０１４４】
もちろん、この発明の範囲は上述した実施の形態に限定されるものではない。たとえば、上記、実施形態においては、充電用コンデンサは、商用電源ＰＷ等の元電源に基づいて充電するようにしたが、これに代えて、給湯装置の配管等に備えられ、水流によって回転する羽根車による発電に基づいて充電するようにしてもよい。また、給湯装置本体１に接続されるリモコン装置２の数は、実施形態に限定されるものではない。また、本実施形態に係る給湯装置としては、燃焼器で使用される燃料としてガスまたは石油等を用いるタイプの給湯装置が適用可能である。また、本実施形態に係る給湯装置としては、たとえば、二酸化炭素や他のガスを熱媒体とするヒートポンプ給湯装置、電気温水器等が適用可能である。さらに、本実施形態に係る給湯装置としては、一般給湯機能、風呂注湯機能、風呂追い焚き機能、および温水暖房機能等のうち、少なくとも一つの機能を備えた給湯装置に適用することができる。その他、本願発明が奏する効果と同様の効果が得られるものであれば、種々の装置、およびそれらの装置を備えるシステムに適用可能である。
【０１４５】
【発明の効果】
本願発明によれば、電源供給制御手段は、給湯装置が予め設定された所定の動作条件になると、スイッチ手段をオフにして商用電源を阻止する（消費電力抑制モード）。そして、商用電源の阻止状態でユーザによる遠隔操作装置からの操作によって充電手段の充電電荷が放電されると、その放電信号に基づいてスイッチ手段をオンにして給湯装置に商用電源を供給する。したがって、消費電力抑制モードに移行した場合にもリモコン装置での操作により通常の給湯モードに復帰させることができるので、使い勝手のよい給湯装置を提供することができる。
【図面の簡単な説明】
【図１】本願発明に係る給湯装置を示す概略構成図である。
【図２】図１に示すリモコン装置の正面図である。
【図３】給湯装置本体およびリモコン装置の電源系統における回路構成を示す図である。
【図４】本体側マイコンの制御動作を示すフローチャートである。
【図５】給湯装置本体およびリモコン装置の電源系統における他の回路構成を示す図である。
【図６】給湯装置本体およびリモコン装置の電源系統における他の回路構成を示す図である。
【図７】オプション装置を接続した給湯装置の概略構成図である。
【図８】本体側マイコンの制御動作を示すフローチャートである。
【図９】給湯装置本体およびリモコン装置の電源系統における他の回路構成を示す図である。
【図１０】本体側マイコンの制御動作を示すフローチャートである。
【図１１】給湯装置本体およびリモコン装置の電源系統における他の回路構成を示す図である。
【図１２】給湯装置本体およびリモコン装置の電源系統における他の回路構成を示す図である。
【図１３】給湯装置本体およびリモコン装置の電源系統における他の回路構成を示す図である。
【図１４】給湯装置本体およびリモコン装置の電源系統における他の回路構成を示す図である。
【符号の説明】
１    給湯装置本体
２    リモコン装置
１２    本体側マイコン
１３    ＥＥＰＲＯＭ
１５    リモコン側マイコン
２１ａ  運転スイッチ
Ｃ４    充電用コンデンサ
ＳＷ    リレー接点
【図１】
2004233029.tif 000003
【図２】
2004233029.tif 000004
【図３】
2004233029.tif 000005
【図４】
2004233029.tif 000006
【図５】
2004233029.tif 000007
【図６】
2004233029.tif 000008
【図７】
2004233029.tif 000009
【図８】
2004233029.tif 000010
【図９】
2004233029.tif 000011
【図１０】
2004233029.tif 000012
【図１１】
2004233029.tif 000013
【図１２】
2004233029.tif 000014
【図１３】
2004233029.tif 000015
【図１４】
2004233029.tif 000016